(57)【要約】【課題】カメラ本体内における部品配置の自由度を高めるとともに、カメラの小型化を図る。【解決手段】フィルムを収納したフィルムカートリッジを収納するカートリッジ室と、このカートリッジ室の収納口を覆う蓋部材と、この蓋部材と係脱可能であり、係合により前記蓋部材を閉じ状態にロックするロック機構と、使用者のスライド操作により前記ロック機構を動作させて前記蓋部材のロックを解除させるとともに、前記カートリッジ室に収納された前記フィルムカートリッジを押し出す操作部材とを有することを特徴とするカメラ。【選択図】  図１
2004191615.tif 000002
【特許請求の範囲】
【請求項１】
フィルムを収納したフィルムカートリッジを収納するカートリッジ室と、
このカートリッジ室の収納口を覆う蓋部材と、
この蓋部材と係脱可能であり、係合により前記蓋部材を閉じ状態にロックするロック機構と、
使用者のスライド操作により前記ロック機構を動作させて前記蓋部材のロックを解除させるとともに、前記カートリッジ室に収納された前記フィルムカートリッジを押し出す操作部材とを有することを特徴とするカメラ。
【請求項２】
前記操作部材は、使用者操作に応じて前記フィルムカートリッジを前記カートリッジ室から押し出す前に、前記蓋部材のロックを解除するように前記ロック機構を動作させることを特徴とする請求項１に記載のカメラ。
【請求項３】
前記操作部材は、使用者操作に応じて前記フィルムカートリッジを前記カートリッジ室から押し出すと同時に、前記蓋部材のロックを解除するように前記ロック機構を動作させることを特徴とする請求項１に記載のカメラ。
【請求項４】
フィルムを収納したフィルムカートリッジを収納するカートリッジ室と、
このカートリッジ室の収納口を覆う蓋部材と、
この蓋部材と係脱可能であり、係合により前記蓋部材を閉じ状態にロックするロック機構と、
使用者のスライド操作に応じて前記カートリッジ室に収納された前記フィルムカートリッジを押し出す操作部材と、
この操作部材による前記フィルムカートリッジの押し出し操作の操作開始状態を検出する検出手段と、
この検出手段の検出結果に基づいて前記蓋部材のロックを解除するように前記ロック機構を駆動する制御手段とを有することを特徴とするカメラ。
【請求項５】
前記制御手段は、前記操作部材による前記フィルムカートリッジの押し出し前に、前記ロック機構を駆動して前記蓋部材のロックを解除させることを特徴とする請求項４に記載のカメラ。
【請求項６】
前記操作部材は、前記フィルムカートリッジを押し出す前に、前記ロック機構によるロックが解除された前記蓋部材を押し開くことが可能であることを特徴とする請求項１から５のいずれかに記載のカメラ。
【請求項７】
前記操作部材は、少なくとも前記フィルムカートリッジを前記カートリッジ室に収納する前の状態において、この操作部材におけるフィルムカートリッジの押し出し面が前記カートリッジ室外となるように位置していることを特徴とする請求項１から６のいずれかに記載のカメラ。
【発明の詳細な説明】
【０００１】
【発明の属する技術分野】
本発明は、カメラ本体内に収納されたフィルムカートリッジを排出させる機構を備えたカメラに関するものである。
【０００２】
【従来の技術】
フィルムを用いて撮影を行うカメラには、フィルムの先端のリーダー部まで全て巻き込んだＩＸ２４０タイプのフィルムカートリッジを用いるカメラや、３５ｍｍ幅のフィルムの一端が固定され、この固定されたフィルムが巻き付けられたスプールをパトローネ本体内に収納した１３５ｍｍタイプのフィルムパトローネを用いるカメラがある。
【０００３】
また、フィルムカートリッジとカメラ本体およびハウジングとの間に形成された空間内に、カートリッジ室内に挿入されたフィルムカートリッジを押し出す排出部材を、フィルムカートリッジの排出方向に移動可能な状態で配置しているカメラが提案されている。このカメラでは、排出部材の操作によりカートリッジ室蓋のロックを解除するとともに、カートリッジ室内のフィルムカートリッジを排出させている（例えば、特許文献１参照）。
【０００４】
さらに、１３５ｍｍタイプのフィルムパトローネを用いるとともに導電性を有する接片をカートリッジ室内に配置することによりフィルム給送時に発生する静電気を除去しているカメラが提案されている。このカメラでは、接片を弾性部材で形成することにより、カメラ本体の裏蓋を開けたときに接片の弾性力によりフィルムパトローネをパトローネ室から飛び出させている（例えば、特許文献２参照）。
【０００５】
【特許文献１】
特開平５−１５０３４２号公報
【特許文献２】
特開平７−２１９０３１号公報
【０００６】
【発明が解決しようとする課題】
上述した特開平５−１５０３４２号公報で提案されているカメラでは、排出部材および蓋開き操作部材の係合を解除することにより、排出部材をバネ部材のバネ力により移動させる構成となっているため、排出部材および蓋開き操作部材をひとまとまりにしてカメラ本体内に配置しなければならない。このため、カメラ本体内における部品配置の自由度が狭まり、カメラの小型化を図る上でも一定の限界がある。
【０００７】
また、排出部材はバネ部材の付勢力を受けることによりフィルムカートリッジを排出させているため、バネ部材には排出部材およびフィルムカートリッジを移動させるための強いバネ力が必要である。
【０００８】
一方、特開平７−２１９０３１号公報で提案されているカメラでは、カメラ本体内に生じた静電気を取り除くための接片に弾性力をもたせることで、接片にフィルムパトローネを排出させる機能をもたせている。
【０００９】
しかし、この接片はカメラにおいて必要不可欠なものではないため、使用される範囲が制限される。
【００１０】
そこで、本発明ではカートリッジ室蓋の蓋開き操作部材にフィルムカートリッジの排出機能を設けることで通常独立していた部品を一つにまとめ部品点数を削減するとともに設計の自由度を広げることでカメラの設計に幅広い自由度を保ちながらコンパクト化することを目的とする。
【００１１】
【課題を解決するための手段】
上記課題に鑑みて、本発明の第１のカメラは、フィルムを収納したフィルムカートリッジを収納するカートリッジ室と、このカートリッジ室の収納口を覆う蓋部材と、この蓋部材と係脱可能であり、係合により該蓋部材を閉じ状態にロックするロック機構と、使用者のスライド操作により該ロック機構を動作させて該蓋部材のロックを解除させるとともに、該カートリッジ室に収納された該フィルムカートリッジを押し出す操作部材とを有することを特徴とする。ここで、上記操作部材に、使用者操作に応じて該フィルムカートリッジを該カートリッジ室から押し出す前に、該蓋部材のロックを解除するように該ロック機構を動作させるようにしてもよい。上記操作部材に、使用者操作に応じて該フィルムカートリッジを該カートリッジ室から押し出すと同時に、該蓋部材のロックを解除するように該ロック機構を動作させるようにしてもよい。
【００１２】
また、本発明の第２のカメラは、フィルムを収納したフィルムカートリッジを収納するカートリッジ室と、このカートリッジ室の収納口を覆う蓋部材と、この蓋部材と係脱可能であり、係合により該蓋部材を閉じ状態にロックするロック機構と、使用者のスライド操作に応じて該カートリッジ室に収納された該フィルムカートリッジを押し出す操作部材と、この操作部材による該フィルムカートリッジの押し出し操作の操作開始状態を検出する検出手段と、この検出手段の検出結果に基づいて該蓋部材のロックを解除するように該ロック機構を駆動する制御手段とを有することを特徴とする。ここで、上記制御手段を、該操作部材による該フィルムカートリッジの押し出し前に、該ロック機構を駆動して該蓋部材のロックを解除させるようにしてもよい。
【００１３】
上記第１及び第２のカメラにおける操作部材に、該フィルムカートリッジを押し出す前に、該ロック機構によるロックが解除された該蓋部材を押し開くようにさせるとよい。
【００１４】
また、上記第１及び第２のカメラにおける操作部材に、少なくとも該フィルムカートリッジを該カートリッジ室に収納する前の状態において、この操作部材におけるフィルムカートリッジの押し出し面を該カートリッジ室外となるように配置するとよい。
【００１５】
【発明の実施の形態】
（第１実施形態）
図１から図３、図８および図１０を用いて本発明の第１実施形態であるカメラについて説明する。
【００１６】
ここで、図１は本実施形態のカメラにおけるカートリッジ室蓋の開閉機構を示す外観斜視図であり、図２はカートリッジ室蓋の開閉機構を示す断面図である。また、図３は蓋開き操作部材（以下、操作部材）の操作によるフィルムカートリッジの排出動作を示す図である。
【００１７】
図１０は、本実施形態におけるカメラの外観斜視図であり、カメラを底面から見た図である。同図において、１０２はズーミングが可能な撮影レンズ鏡筒であり、カメラ本体１の正面略中央に設けられている。
【００１８】
１０３は被写体に照明光を照射するストロボ装置を構成する発光窓部である。１０４は被写体輝度を測定するための測光装置を構成する測光窓部であり、１０５は撮影者が被写体を観察するためのファインダ装置を構成するファインダ窓部である。
【００１９】
図１において、１はカメラ本体のうちカートリッジ室の周辺部分（以下、カメラ本体）である。２は蓋開閉部材であり、後述するカートリッジ室蓋５に係脱することにより、カートリッジ室蓋５を閉じ状態にロックしたり、このロックを解除したりする。この蓋開閉部材２は、穴部２ａに不図示の軸部が嵌合することにより、この軸部を中心に回転可能となっている。
【００２０】
３は操作部材であり、フィルムカートリッジ１００を排出させるとともに、カートリッジ室蓋５のロックを解除させる機能を有している。この操作部材３は、使用者操作によりカートリッジ室の長手方向（図１中の矢印Ａ方向）に移動可能となっている。
【００２１】
操作部材３の一端側は、図２に示すように曲げ形成されており、この一端側に形成された排出面３２が、操作部材３の動作に応じてフィルムカートリッジ１００の端面１０１に当接可能となっている。また、操作部材３の他端側には、カートリッジ室蓋５に当接可能な蓋押出し面３３が形成されている。
【００２２】
操作部材３は、図２に示すようにバネ３５によってフィルムカートリッジの装填方向（図２中の矢印Ｃ方向）に付勢されている。操作部材３の操作部３１は、使用者によって直接、操作される部分である。
【００２３】
４はレバーであり、カメラ本体１に形成された突起部１１と係合し、この突起部１１を中心に回転可能となっている。レバー４の右端部４１は、操作部材３の側面に凸状に形成された係合部３４に当接可能であり、レバー４は操作部材３の移動による右端部４１および係合部３４の当接作用により回転する。
【００２４】
一方、レバー４の左端部４２は蓋開閉部材２に当接しており、レバー４が回転することにより蓋開閉部材２を回転させる。
【００２５】
５はカートリッジ室蓋であり、カメラ本体１に回転（矢印Ｂ方向）可能に取り付けられており、回転によりカートリッジ室の収納口を閉じたり開いたりすることが可能である。カートリッジ室蓋５の裏面には係止爪５１が形成されており、この係止爪５１は蓋開閉部材２の端部に形成されたロック爪２１に係脱可能である。
【００２６】
図３において、２００はフィルムカートリッジ１００内に収納されたフィルムのスラスト・巻き戻しを行うためのフォークであり、不図示のギヤ列を介して駆動源からの駆動力を受けることにより回転可能である。
【００２７】
本実施形態のカメラは、上述した構成において操作部材３の操作によりフィルムカートリッジの排出動作を行うとともに、カートリッジ室蓋５の蓋開き動作をメカ的な機構によって行うものである。
【００２８】
本実施形態のカメラを用いて写真撮影を終了すると、撮影者はフィルムカートリッジ１００をカメラ本体１から取り出すために、操作部材３の操作部３１を手動で操作して、操作部材３をフィルムカートリッジ１００の排出方向（図２中下方向）にスライドさせていく。
【００２９】
このとき、操作部材３の係合部３４は、レバー４の右端部４１と当接し、レバー４を突起部１１を中心軸として矢印α方向に回転させる。そして、レバー４の左端部４２と当接している蓋開閉部材２は、レバー４の矢印α方向の回転を受けてβ方向に回転する。
【００３０】
これにより、係止爪５１と係合状態にあったロック爪２１が、係止爪５１との係合を外すことにより、カートリッジ室蓋５はロックが解除された状態となる。そして、操作部材３は使用者操作により蓋押出し面３３においてカートリッジ室蓋５を押し開く。
【００３１】
また、操作部材３は、使用者操作により排出面３２においてフィルムカートリッジ１００の端面１０１と当接し、フィルムカートリッジ１００をカートリッジ室から押し出す。
【００３２】
ここで、操作部材３がフィルムカートリッジ１００を押し出すタイミングは、カートリッジ室蓋５のロックが解除された後でなければならない。この理由は、カートリッジ室蓋５のロックが解除されていない状態で操作部材３の操作によりフィルムカートリッジ１００を押し出そうとしても、フィルムカートリッジ１００がカートリッジ室蓋５に当接して突っ張ってしまうからである。
【００３３】
また、フィルムカートリッジ１００をカートリッジ室蓋５に押し付けたままでは、ロック爪２１および係止爪５１の係合が外れにくくなることによりレバー４（蓋開閉部材２）の回転を妨げてしまい、カートリッジ室蓋５のロックを解除することができなくなってしまうからである。
【００３４】
したがって、操作部材３を操作し始めてからロック爪２１および係止爪５１の係合を外すまでの動作は、操作部材３がフィルムカートリッジ１００をカートリッジ室から排出し始めるまでに完了させなければならない。
【００３５】
一方、図３（Ｅ）に示すようにカートリッジ室蓋５が開いた状態にあるとき、操作部材３の排出面３２は、カートリッジ室の突き当て面１２よりも上方に位置していること、すなわち排出面３２がカートリッジ室外に位置していることが必要である。
【００３６】
ここで、カートリッジ室蓋５を開けてフィルムカートリッジ１００を排出させた直後において、排出面３２がカートリッジ室外に位置するように操作部材３を移動させておくことができる。
【００３７】
本実施形態では、操作部材３がバネ３５により図２中矢印Ｃ方向に付勢されているため、使用者が操作部材３を操作してカートリッジ室蓋５を開けるとともにフィルムカートリッジ１００を排出させた後、操作部３１から手を離すと、操作部材３がバネ３５の付勢力を受けて排出面３２がカートリッジ室外となるまで移動するになっている。そして、操作部材３は、所定の位置、すなわちフィルムカートリッジ１００を排出させる前の位置に停止するようになっている。
【００３８】
本実施形態では、操作部材３を、フィルムカートリッジの排出動作を行う前の状態（蓋開き待機状態）に戻すためにバネ３５を用いているため、バネ３５には操作部材３を引き戻す程度のバネ力を与えるだけでよく、従来技術（特開平５−１５０３４２号公報）におけるバネのように排出部材およびフィルムカートリッジを移動させるための強いバネ力は不要となる。
【００３９】
次に、図３を用いて操作部材３の操作によるカートリッジ室蓋５のメカ的な蓋開き動作とフィルムカートリッジ１００の排出動作を段階的に説明する。
【００４０】
同図の（Ａ）は蓋開き待機状態を示す。このとき、操作部材３の排出面３２は、カートリッジ室の突き当て面１２よりも図中上方、すなわちカートリッジ室外に位置している。
【００４１】
（Ａ）に示す状態において、使用者操作により操作部材３を図中下方向に徐々にスライドさせていくと、上述したように操作部材３の移動量に応じて蓋開閉部材２が矢印β方向に回転する。
【００４２】
（Ａ’）は、ロック爪２１および係止爪５１の係合が外れてカートリッジ室蓋５のロックが解除された状態を示す。この状態において、操作部材３の蓋押出し面３３はカートリッジ室蓋５に当接しておらず、排出面３２もフィルムカートリッジ１００の端面１０１に当接していない。つまり、フィルムカートリッジ１００の排出動作が開始される前にカートリッジ室蓋５のロックが解除されるようになっている。
【００４３】
（Ｂ）は、操作部材３の蓋押出し面３３がカートリッジ室蓋５に当接した状態を示している。この状態において、操作部材３の排出面３２はフィルムカートリッジ１００の端面１０１に当接していない。なお、操作部材３の長さを適宜、変更等することにより、蓋押出し面３３およびカートリッジ室蓋５の当接と、排出面３２および端面１０１の当接とが同じタイミングで行われるようにして、カートリッジ室蓋５の押し開き動作とフィルムカートリッジ１００の排出動作とを同時に行うようにしてもよい。
【００４４】
（Ｃ）は、操作部材３の排出面３２がフィルムカートリッジ１００の端面１０１に当接した状態を示している。この状態において、操作部材３の蓋押出し面３３は、カートリッジ室蓋５を押し開いている。
【００４５】
（Ｄ）は、操作部材３がフィルムカートリッジ１００をカートリッジ室から押し出した状態を示している。
【００４６】
（Ｅ）は、カートリッジ室蓋５が開いた状態であって、フィルムカートリッジ１００を交換可能な状態である蓋閉じ待機状態を示している。この状態は、フィルムカートリッジ１００の排出動作を終了した後に使用者が操作部３１から手を離すことにより、操作部材３がバネ３５のバネ力を受けて（Ａ）に示す位置と同じ位置まで戻った状態である。このとき、操作部材３の排出面３２はカートリッジ室外に位置している。
【００４７】
ここで、バネ等を用いて蓋開閉部材２を矢印β方向と反対方向に付勢させておくことができる。これにより、操作部材３が（Ｅ）に示す位置に戻ったときに、蓋開閉部材２が矢印β方向と反対方向に回転して（Ａ）に示す位置まで戻るようにすることができる。
【００４８】
このような構成にしておけば、カートリッジ室内に新たなフィルムカートリッジ１００を収納してカートリッジ室蓋５を閉じれば、係止爪５１およびロック爪２１が係合することによりカートリッジ室蓋５をロック状態にすることができる。
【００４９】
ここで、係止爪５１およびロック爪２１の先端をテーパ状に形成しておけば、カートリッジ室蓋５を閉じるときに、係止爪５１をロック爪２１に容易に係合させることができる。
【００５０】
図８は操作部材３の作動タイミングチャートを示す図であり、操作部材３の変位量と時間との関係を示す。図中の縦軸におけるＡ位置〜Ｄ位置はそれぞれ、図３（Ａ）〜（Ｄ）に示す状態に対応しており、原点は蓋開き待機状態となっている。
【００５１】
図中のＳおよびＵは、操作部材３を移動させる速度が違う場合であり、ＳよりもＵの方が移動速度が速くなっている。ここで、蓋開き待機状態から手動で操作部材３を動かす速度は一定としているため、ＳおよびＵに示す線は直線となる。
【００５２】
Ａ位置は、蓋開閉部材２が回転し始める時点における操作部材３の位置（初期位置）を示す。本実施形態では、操作部材３と蓋開閉部材２とがメカ的に連動しているため、Ａ位置は操作部材３を操作し始める位置となる。
【００５３】
Ｂ位置は、操作部材３の蓋押出し面３３がカートリッジ室蓋５に当接した時点における操作部材３の移動位置を示す。ここで、操作部材３がＡ位置からＢ位置に移動する間に、カートリッジ室蓋５のロックが解除される（Ａ’位置）。
【００５４】
Ｃ位置は、フィルムカートリッジ１００をカートリッジ室から排出し始める時点における操作部材３の移動位置を示す。ここで、Ｂ位置およびＣ位置は、同じ位置であってもよいが、Ｃ位置がＢ位置よりも前の位置にあってはならない。
【００５５】
Ｄ位置は、フィルムカートリッジ１００の排出を完了した時点における操作部材３の移動位置を示す。このＤ位置が、操作部材３をフィルムカートリッジ１００の排出方向に動かすことのできる限界位置である。なお、実際には、操作部材３がＤ位置に達するまでにフィルムカートリッジ１００の排出動作は終了しているため、Ｄ位置に到達する直前で操作部材３の操作を終了させてもよい。
【００５６】
Ｄ位置以降は、使用者が操作部材３の操作を止めることにより、操作部材３がバネ３５のバネ力を受けてＡ位置まで戻る。
【００５７】
（第２実施形態）
図４から７および図９を用いて本発明の第２実施形態であるカメラについて説明する。
【００５８】
ここで、図４は本実施形態のカメラにおけるカートリッジ室蓋の開閉機構の側面図であり、図５はカートリッジ室蓋の開閉機構の断面図である。なお、第１実施形態で説明した部材と同等の機能を果たす部材については同じ符号を用いる。
【００５９】
２００はフィルムカートリッジ１００内に収納されたフィルムのスラスト・巻き戻しを行うためのフォークであり、不図示のギヤ列を介して駆動源からの駆動力を受けることにより回転可能である。６は突起部であり、操作部材３の端部に形成された係止爪３７と係脱可能である。
【００６０】
７は検知スイッチであり、操作部材３の操作開始を検知するためのスイッチである。検知スイッチ７は、図４に示すように操作部材３が検知スイッチ７の接片を押し込むことでＯＮ状態となり、操作部材３による接片の押し込みが解除されるとＯＦＦ状態となる。
【００６１】
８は検知スイッチ７の出力信号に基づいて後述する駆動部の駆動制御を行うマイコンである。９は蓋開閉部材２を矢印γ方向に回転させるための駆動部（モーターを含む）である。
【００６２】
５２はカートリッジ室蓋５の裏面に形成された溝部であり、操作部材３の蓋押出し面３３と当接可能である。
【００６３】
上述した構成において、本実施形態のカメラは、操作部材３の使用者操作に応じてフィルムカートリッジ１００の排出動作を行うとともに、カートリッジ室蓋５の蓋開き動作を電気的な機構によって行うものである。
【００６４】
本実施形態のカメラを用いて写真撮影を終了すると、撮影者はフィルムカートリッジ１００をカメラ本体１から取り出すために、操作部材３の操作部３１を手動で操作して、操作部材３をフィルムカートリッジ１００の排出方向（図４中下方向）にスライドさせていく。
【００６５】
このとき、操作部材３の端面３６に押し込まれることで導通していた検知スイッチ７の切片は、操作部材３の操作に応じて離れることにより、検知スイッチ７がＯＮ状態からＯＦＦ状態に切り換わる。この情報はマイコン８に伝えられ、マイコン８は駆動部９の駆動を開始する。
【００６６】
駆動部９の駆動により蓋開閉部材２は、回転軸を中心に矢印γ方向に回転する。これにより、カートリッジ室蓋５の係止爪５１と係合状態にあった蓋開閉部材２のロック爪２１が係止爪５１との係合を外すことにより、カートリッジ室蓋５のロックが解除される。そして、操作部材３の蓋押出し面３３が溝部５２に当接することにより、カートリッジ室蓋５を押し開く。
【００６７】
また、操作部材３の排出面３２がフィルムカートリッジ１００の端面１０１と当接してフィルムカートリッジ１００を押し出すことで、カートリッジ室からフィルムカートリッジ１００が排出される。
【００６８】
ここで、操作部材３がフィルムカートリッジ１００を押し出すタイミングは、カートリッジ室蓋５のロックが解除された後でなければならない。この理由は、カートリッジ室蓋５のロックが解除されていない状態で操作部材３の操作によりフィルムカートリッジ１００を押し出そうとしても、フィルムカートリッジ１００がカートリッジ室蓋５に当接して突っ張ってしまうからである。
【００６９】
また、フィルムカートリッジ１００をカートリッジ室蓋５に押し付けたままでは、ロック爪２１および係止爪５１の係合が外れにくくなり、駆動部９の駆動力だけでは蓋開閉部材２を回転させることができず、カートリッジ室蓋５のロックを解除することができなくなってしまうからである。
【００７０】
ここで、フィルムカートリッジ１００を排出する前の蓋開き待機状態（図４）において、操作部材３の排出面３２とフィルムカートリッジ１００の端面１０１との距離ｘを、操作部材３の蓋押出し面３３とカートリッジ室蓋５との距離ｙよりも長くすることができる。このような構成によれば、操作部材３は、使用者操作に応じて、まず蓋押出し面３３においてカートリッジ室蓋５を押し開き、続いて排出面３２においてフィルムカートリッジ１００を押し出すようになる。
【００７１】
これにより、フィルムカートリッジ１００が排出される前には、カートリッジ室蓋５が開いた状態にあるため、排出動作の際にフィルムカートリッジ１００がカートリッジ室蓋５に突き当たることもない。
【００７２】
一方、図６および図７の（Ｊ）に示すようにカートリッジ室蓋５が蓋閉じ待機状態にある場合において、操作部材３の排出面３２がカートリッジ室の突き当て面１２よりも図中上方、すなわち、カートリッジ室外に位置している必要がある。
【００７３】
これは、以下に説明するように、フィルムカートリッジ１００の装填時に操作部材３の係止爪３７に無理な力が掛かってしまうのを防止するためである。すなわち、カートリッジ室蓋５が蓋閉じ待機状態にあるときには、図６、７の（Ｊ）に示すように操作部材３の係止爪３７は突起部６に係合している。この状態で新たなフィルムカートリッジ１００を装填する場合において、操作部材３の排出面３２がカートリッジ室内に位置していると、フィルムカートリッジ１００の端面１０１が操作部材３の排出面３２を押すことにより突起部６に係合している係止爪３７に無理な力が掛かってしまうことになる。
【００７４】
ここで、操作部材３の係止爪３７を突起部６に係合させるようにしているのは、カートリッジ室蓋５を開いた後に操作部材３がバネ３５の付勢力を受けて蓋開き待機状態（図４）に戻ることで、検知スイッチ７がＯＦＦ状態からＯＮ状態に切り換わるのを防止するためである。
【００７５】
すなわち、本実施形態では、検知スイッチ７がＯＦＦ状態からＯＮ状態に切り換わったときに、マイコン８による駆動部９の駆動制御により蓋開閉部材２を矢印γ方向と反対方向に回転させるようにしている。このため、カートリッジ室蓋５が閉じていない状態で蓋開閉部材２を回転させると、係止爪５１をロック爪２１に係合させることができず、カートリッジ室蓋５を閉じ状態にロックすることができなくなってしまう。
【００７６】
これにより、カートリッジ室蓋５が開いてから閉じるまでの間は、検知スイッチ７はＯＦＦ状態となっている。
【００７７】
カートリッジ室蓋５を閉じる場合において、カートリッジ室蓋５を手動で閉じ方向に回転させると、カートリッジ室蓋５の溝部５２が係止爪３７に当接して、係止爪３７および突起部６の係合を外す。これにより、操作部材３はバネ３５のバネ力によってフィルムカートリッジ１００の装填方向に引っ張られて蓋開き待機状態（図４）に戻る。
【００７８】
次に、図６および図７を用いて操作部材３の操作によるフィルムカートリッジ１００の排出動作と、カートリッジ室蓋５の電気的な蓋開き動作とについて説明する。ここで、図６は操作部材３の操作速度が相対的に遅い場合を示し、図７は操作速度が相対的に速い場合を示している。
【００７９】
図６の（０）は、カートリッジ室蓋５のロックが解除される前の蓋開き待機状態を示す。このとき、操作部材３の排出面３２は、カートリッジ室の突き当て面１２よりも図中上方向、すなわちカートリッジ室外に位置している。（０）に示す状態において、検知スイッチ７の接片は操作部材３の端面３６により押し込まれており、検知スイッチ７はＯＮ状態となっている。
【００８０】
操作部材３を（０）に示す状態から使用者操作により図中下方向に徐々にスライドさせていくと、カートリッジ室蓋の開閉機構は以下に説明する状態（Ｆ〜Ｊ）に段階的に変化する。
【００８１】
（Ｆ）は、操作部材３による検知スイッチ７の接片の押し込みが解除された状態を示し、操作部材３は（０）に示す位置から接片の撓みがなくなる位置までフィルムカートリッジ１００の排出方向に変位している。このとき、検知スイッチ７はＯＮ状態からＯＦＦ状態に切り換わり、これによりマイコン８が駆動部９を駆動して蓋開閉部材２が矢印γ方向に回転し始める。
【００８２】
（Ｆ’）は、ロック爪２１および係止爪５１の係合が外れてカートリッジ室蓋５のロックが解除された状態を示す。このとき、操作部材３の蓋押出し面３３はカートリッジ室蓋５に当接しておらず、排出面３２もフィルムカートリッジ１００の端面１０１に当接していない。つまり、フィルムカートリッジ１００の排出動作が開始される前にカートリッジ室蓋５のロックが解除されるようになっている。
【００８３】
（Ｇ）は、操作部材３の蓋押出し面３３がカートリッジ室蓋５の溝部５２に当接した状態を示している。このとき、操作部材３の排出面３２はフィルムカートリッジ１００の端面１０１に当接していない。
【００８４】
（Ｈ）は、操作部材３の排出面３２がフィルムカートリッジ１００の端面１０１に当接した状態を示している。このとき、操作部材３の蓋押出し面３３は、カートリッジ室蓋５を押し開いている。
【００８５】
（Ｉ）は、操作部材３がフィルムカートリッジ１００をカートリッジ室から押し出した状態を示している。
【００８６】
（Ｊ）は、蓋閉じ待機状態を示している。この状態は、フィルムカートリッジ１００の排出動作を終了した後に使用者が操作部３１から手を離すことにより、操作部材３がバネ３５のバネ力を受けてフィルムカートリッジ１００の装填方向に戻った状態である。このとき、操作部材３の係止爪３７は突起部６に係合し、操作部材３の排出面３２はカートリッジ室の突き当て面１２よりも図中上方に位置している。
【００８７】
このように操作部材３の排出面３２がカートリッジ室の突き当て面１２よりも上方（カートリッジ室外）に位置していることにより、第１実施形態で説明したようにフィルムカートリッジ１００をカートリッジ室に収納する際に、フィルムカートリッジ１００がカートリッジ室内に位置する操作部材３の排出面３２を押し込むことによって生じる誤動作を防止することができる。
【００８８】
図７の（０）は、カートリッジ室蓋５のロックが解除される前の蓋開き待機状態を示す。このとき、操作部材３の排出面３２は、カートリッジ室の突き当て面１２よりも図中上方、すなわちカートリッジ室外に位置している。（０）に示す状態において、検知スイッチ７の接片は操作部材３の端面３６により押し込まれており、検知スイッチ７はＯＮ状態となっている。
【００８９】
操作部材３を（０）に示す状態から使用者操作により図中下方向に徐々にスライドさせていくと、カートリッジ室蓋の開閉機構は以下に説明する状態（Ｇ〜Ｊ）に段階的に変化する。
【００９０】
（Ｇ）は、操作部材３の操作速度が速かったために、カートリッジ室蓋５のロックが解除される前にに、操作部材３の蓋押出し面３３がカートリッジ室蓋５の溝部５２に当接した状態を示す。このとき、操作部材３による検出スイッチ７の接片の押し込みは解除されているため、マイコン８による駆動部９の駆動制御により蓋開閉部材２が矢印γ方向に回転し始める。
【００９１】
（Ｇ’）は、蓋開閉部材２が矢印γ方向に少し回転した状態を示しており、この状態においてはカートリッジ室蓋５のロックは解除されていない。
【００９２】
（Ｇ”）は、ロック爪２１および係止爪５１の係合が外れてカートリッジ室蓋５のロックが解除された状態を示す。ここで、操作部材３は操作され続けているため、カートリッジ室蓋５のロックが解除された時点でカートリッジ室蓋５が押し開かれる。
【００９３】
（Ｇ”）に示す状態においては、操作部材３の排出面３２がフィルムカートリッジ１００の端面１０１に当接していない。つまり、操作部材３によるフィルムカートリッジ１００の排出動作が開始される前に、カートリッジ室蓋５のロックが解除されるようになっている。
【００９４】
（Ｈ）は、操作部材３の排出面３２がフィルムカートリッジ１００の端面１０１に当接した状態を示している。このとき、操作部材３の蓋押出し面３３は、カートリッジ室蓋５を押し開いている。
【００９５】
（Ｉ）は、操作部材３がフィルムカートリッジ１００をカートリッジ室から押し出した状態を示している。
【００９６】
（Ｊ）は、蓋閉じ待機状態を示している。この状態は、フィルムカートリッジ１００の排出動作を終了した後に使用者が操作部３１から手を離すことにより、操作部材３がバネ３５のバネ力を受けてフィルムカートリッジ１００の装填方向に引き戻され、係止爪３７が突起部６に係合した状態である。
【００９７】
この状態において、操作部材３の排出面３２は、カートリッジ室外に位置している。これにより、第１実施形態で説明したようにフィルムカートリッジ１００をカートリッジ室に収納する際に、フィルムカートリッジ１００がカートリッジ室内に位置する操作部材３の排出面３２を押し込むことによって生じる誤動作を防止することができる。
【００９８】
一方、使用者操作によりカートリッジ室蓋５が閉じられると、カートリッジ室蓋５の溝部５２が操作部材３の蓋押出し面３３に当接して、係止爪３７および突起部６の係合を外す。これにより、操作部材３はバネ３５のバネ力を受けることにより図７（０）に示す蓋開き待機状態に戻る。
【００９９】
ここで、操作部材３が蓋開き待機状態に戻ると検知スイッチ７がＯＦＦ状態からＯＮ状態に切り換わり、これによりマイコン８は駆動部９を駆動して蓋開閉部材２を矢印γ方向と反対方向に回転させる。これにより、蓋開閉部材２のロック爪２１がカートリッジ室蓋５の係止爪５１に係合してカートリッジ室蓋５が閉じ状態にロックされる。なお、第１実施形態と同様にバネ等を用いて蓋開閉部材２を矢印γ方向と反対方向に回転させるようにしてもよい。
【０１００】
図９は操作部材３の作動タイミングチャートを示す図であり、操作部材３の変位量と時間との関係を示す。図中の縦軸における０位置〜Ｉ位置はそれぞれ、図６（０）〜（Ｉ）および図７（０）〜（Ｉ）に示す状態に対応しており、原点は蓋開き待機状態となっている。
【０１０１】
図中のＳおよびＵは、操作部材３を移動させる速度が違う場合であり、ＳよりもＵの方が移動速度が速くなっている。ここで、蓋開き待機状態から手動で操作部材３を動かす速度は一定としているため、所定時間内における操作部材３の変位量の傾きは直線となっている。
【０１０２】
Ｆ位置は、蓋開閉部材２が回転し始める時点における操作部材３の位置を示す。本実施形態では、第１実施形態と異なり操作部３の操作開始状態を検知スイッチ７を介して電気的に検知しているため、検知スイッチ７の接片を接触状態（検知スイッチ７のＯＮ状態）から非接触状態（検知スイッチ７のＯＦＦ状態）に切り換わるまで操作部材３を所定量移動させなければ、蓋開閉部材２を回転させることができない。
【０１０３】
このように操作部材３を所定量、移動させなければ検知スイッチ７の接片を接触状態から非接触状態に切り換えることができないようにすることで、外部からの振動等により検知スイッチ７の接片が不必要に接触したり、離れたりするのを防止して、検知スイッチ７の誤った出力信号によりマイコン８が誤動作を行うのを防止することができる。
【０１０４】
Ｇ位置は、操作部材３の蓋押出し面３３がカートリッジ室蓋５の溝部５２に当接した時点における操作部材３の移動位置を示す。ここで、操作部材３がＦ位置からＧ位置に移動するまでに、カートリッジ室蓋５のロックが解除されるようになっている。
【０１０５】
Ｈ位置は、フィルムカートリッジ１００を排出し始める時点における操作部材３の移動位置を示す。
【０１０６】
Ｉ位置は、フィルムカートリッジ１００の排出を完了した時点における操作部材３の移動位置を示す。このＩ位置が、操作部材３をフィルムカートリッジ１００の排出方向に動かすことができる限界位置である。なお、実際には、操作部材３がＩ位置に達するまでにフィルムカートリッジ１００の排出動作は終了しているため、Ｉ位置に達する直前に操作部材３の操作を終了させてもよい。
【０１０７】
操作部材３をＩ位置まで移動させて操作部材３の操作を止めると、操作部材３はバネ３５のバネ力によりフィルムカートリッジ１００の装填方向に戻されるが、係止爪３４が突起部６に係合することにより、操作部材３は図６、７の（Ｊ）に示す位置に保持される。なお、操作部材３をＩ位置の直前まで移動させて操作を止めた場合でも、係止爪３４が突起部６に係合することにより操作部材３が図６、７の（Ｊ）に示す位置に保持される。
【０１０８】
本実施形態では、図９に示すように操作部材３の移動速度によって操作部材３の挙動（Ｓ、Ｕ）が変わる。Ｓは操作部材３をゆっくり動かした場合であり、操作部材３がＧ位置に移動した時点で蓋開閉部材２のロックが解除されているため、操作部材３を操作し続けることでフィルムカートリッジ１００の排出動作を行うことができる。
【０１０９】
また、Ｕは操作部材３を速く動かした場合であり、操作部材３がＧ位置に達した時点では、まだカートリッジ蓋５のロックが解除されていないため、操作部材３を操作し続けても操作部材３がカートリッジ蓋５に当接するだけでフィルムカートリッジ１００の排出動作に入ることができない。
【０１１０】
このため、操作部材３がＦ位置に到達してから時間ｔが経過するまで、すなわちカートリッジ蓋５のロックが解除されるまでフィルムカートリッジ１００の排出動作は待機状態となり、その後、操作部材３を操作することによりカートリッジ室蓋５が開いてフィルムカートリッジ１００が排出される。
【０１１１】
なお、Ｕにおける時間ｔは、上述したようにカートリッジ室蓋５のロックが解除されるまでの時間であるため、Ｓにおいて操作部材３がＦ位置からＧ位置まで移動する時間ｔに相当する。
【０１１２】
【発明の効果】
以上説明したように、本発明によれば、カートリッジ窒蓋の蓋開き操作部材にフィルムカートリッジの排出機能を持たせることで、通常それぞれ独立した部品で行っていた機能を１部品で行うことで、部品点数を削減するとともに設計の自由度を広げることでカメラの設計に幅広い自由度を保ちながらコンパクト化することができる。また、フィルムカートリッジの排出を手動で行うことによって、排出部材に加えられる強力なバネ力を取り除くことができる。
【図面の簡単な説明】
【図１】第１実施形態におけるカートリッジ室蓋開閉機構の外観斜視図。
【図２】第１実施形態におけるカートリッジ室蓋開閉機構の断面図。
【図３】第１実施形態においてカートリッジ室蓋の開き動作を示す図。
【図４】第２実施形態におけるカートリッジ室蓋開閉機構の断面図。
【図５】第２実施形態におけるカートリッジ室蓋開閉機構の断面図。
【図６】第２実施形態におけるカートリッジ室蓋の開き動作を示す図。
【図７】第２実施形態におけるカートリッジ室蓋の開き動作を示す図。
【図８】操作部材の変位量と時間との関係を表す図。
【図９】操作部材の変位量と時間との関係を表す図。
【図１０】本実施形態におけるカメラの外観斜視図。
【符号の説明】
１  カメラ本体
２  蓋開閉部材
３  操作部材
５  カートリッジ室蓋
６  突起部
７  検知スイッチ
８  マイコン
９  駆動部
３２  排出面
【図１】
2004191615.tif 000003
【図２】
2004191615.tif 000004
【図３】
2004191615.tif 000005
【図４】
2004191615.tif 000006
【図５】
2004191615.tif 000007
【図６】
2004191615.tif 000008
【図７】
2004191615.tif 000009
【図８】
2004191615.tif 000010
【図９】
2004191615.tif 000011
【図１０】
2004191615.tif 000012